(57)【特許請求の範囲】
【請求項１】
前枠（３）  側に固定された受け部（１８）と、裏機構板（８）  側に固定され且つ受け部（１８）上に当接してヒンジ軸（１９）の軸心廻りに回動自在な当接部（２１）とを備えたヒンジ（７）  を上下方向に一対設け、このヒンジ（７）  を介して前枠（３）  側に裏機構板（８）  を着脱及び開閉自在に枢着した弾球遊技機において、各ヒンジ（７）  の上下方向のヒンジ軸（１９）を受け部（１８）に上向き又は当接部（２１）に下向きに固定し、各ヒンジ軸（１９）に大径の回動軸部（３１）及び大径の外れ阻止部（２７）と、これらの間に形成された小径の嵌脱部（２９）と、嵌脱部（２９）と回動軸部（３１）及び外れ阻止部（２７）間に形成され且つ嵌脱部（２９）側が細くなる案内用のテーパー部（３０）（２８）とを軸心方向に設け、ヒンジ軸（１９）と反対側の受け部（１８）又は当接部（２１）に、当接部（２１）が受け部（１８）上に当接した状態で回動軸部（３１）が回動自在に嵌合する回動孔（２２）と、嵌脱部（２９）側を介して回動軸部（３１）が回動孔（２２）に嵌脱すべく嵌脱部（２９）側を案内し且つ回動軸部（３１）側の通過を阻止する案内溝（３４）とを設け、回動軸部（３１）側のテーパー部（３０）の勾配を大きくし、外れ阻止部（２７）側のテーパー部（２８）の勾配を小さくしたことを特徴とする弾球遊技機。
【請求項２】
外れ阻止部（２７）と回動軸部（３１）とを略同一径の円柱状に構成したことを特徴とする請求項１に記載の弾球遊技機。
【請求項３】
前枠（３）  側の固定ブラケット（２０）の下端部に受け部（１８）を折り曲げ形成し、この受け部（１８）上にヒンジ軸（１９）を固定し、裏機構板（８）  側の可動ブラケット（２３）の下端部に当接部（２１）を折り曲げ形成し、この当接部（２１）に回動孔（２２）と案内溝（３４）とを設けたことを特徴とする請求項１又は２に記載の弾球遊技機。
【請求項４】
案内溝（３４）の外端側を外広がり状に開口させたことを特徴とする請求項１乃至３の何れかに記載の弾球遊技機。
【発明の詳細な説明】
【０００１】
【発明の属する技術分野】
本発明は、パチンコ機、アレンジボール機等の弾球遊技機に関するものである。
【０００２】
【従来の技術】
パチンコ機等の弾球遊技機では、図８及び図９に示すように、矩形枠状の外枠１  と、この外枠１  の前側に配置され且つ上下一対のヒンジ２  により開閉自在に枢着された前枠３  とを備えている。前枠３  には、矩形孔状の窓孔４  と、この窓孔４  を取り囲むように前枠３  の裏側に装着された遊技盤装着枠５  とが設けられ、その遊技盤装着枠５  に裏側から遊技盤６  が着脱自在に嵌め込まれている。
【０００３】
遊技盤装着枠５  には、上下一対のヒンジ７  を介して開閉自在に枢着された裏機構板８  と、この裏機構板８  を閉状態で遊技盤装着枠５  に固定する４個の固定レバー９  とが設けられ、遊技盤装着枠５  に嵌め込まれた遊技盤６  を裏機構板８  で後方から押圧した状態で、裏機構板８  が固定レバー９  により遊技盤装着枠５  側に締結されている。前枠３  は、遊技球を貯留する上皿、この上皿から供給された遊技球を発射させる発射手段１０等が装着されている。裏機構板８  には、遊技盤６  の裏側の裏カバー１２が嵌合する開口１３が形成されると共に、その開口１３の上側に賞球タンク１４及びタンクレール１５が、右側に払い出し手段１６が、下側に制御ユニット１７が夫々装着されている。
【０００４】
上下一対のヒンジ７  は、図１０に示すように、下端の受け部１８側にヒンジ軸１９が固定された固定ブラケット２０と、受け部１８上に当接する当接部２１に回動孔２２が形成された可動ブラケット２３とを備え、その固定ブラケット２０が遊技盤装着枠５  に、可動ブラケット２３が裏機構板８  に夫々固定されている。ヒンジ軸１９は上端側がテーパー状で、このヒンジ軸１９が当接部２１の回動孔２２に下側から嵌脱するようになっている。
【０００５】
【発明が解決しようとする課題】
従来の弾球遊技機では、裏機構板８  を上下一対のヒンジ７  を介して遊技盤装着枠５  に取り付ける場合、各可動ブラケット２３の当接部２１の回動孔２２を各固定ブラケット２０の受け部１８のヒンジ軸１９の上側に位置させた状態で、回動孔２２とヒンジ軸１９との軸心を合わせた後、裏機構板８  を下降させて各可動ブラケット２３の回動孔２２に各固定ブラケット２０のヒンジ軸１９を嵌合させる方法を採っている。
このため、従来のヒンジ構造では、上下の各ヒンジ７  の回動孔２２とヒンジ軸１９との軸心を合わせて略同時に嵌合させる必要があり、裏機構板８  を遊技盤装着枠５  に取り付ける場合の作業が非常に煩雑になる欠点がある。
【０００６】
特に裏機構板８  は形状的に大きい上に、この裏機構板８  には賞球タンク１４、払い出し手段１６等の裏機構部品が装着され、また払い出し手段１６等に接続されたリード線等が配線されているので、各ヒンジ７  の回動孔２２とヒンジ軸１９との軸心を合わせる作業は非常に困難である。
本発明は、このような従来の課題に鑑み、構造が簡単であり、しかも裏機構板を複数個のヒンジを介して容易に装着できる弾球遊技機を提供することを目的とする。
【０００７】
【課題を解決するための手段】
請求項１に記載の本発明は、前枠３  側に固定された受け部１８と、裏機構板８  側に固定され且つ受け部１８上に当接してヒンジ軸１９の軸心廻りに回動自在な当接部２１とを備えたヒンジ７  を上下方向に一対設け、このヒンジ７  を介して前枠３  側に裏機構板８  を着脱及び開閉自在に枢着した弾球遊技機において、各ヒンジ７  の上下方向のヒンジ軸１９を受け部１８に上向き又は当接部２１に下向きに固定し、各ヒンジ軸１９に大径の回動軸部３１及び大径の外れ阻止部２７と、これらの間に形成された小径の嵌脱部２９と、嵌脱部２９と回動軸部３１及び外れ阻止部２７間に形成され且つ嵌脱部２９側が細くなる案内用のテーパー部３０，２８  とを軸心方向に設け、ヒンジ軸１９と反対側の受け部１８又は当接部２１に、当接部２１が受け部１８上に当接した状態で回動軸部３１が回動自在に嵌合する回動孔２２と、嵌脱部２９側を介して回動軸部３１が回動孔２２に嵌脱すべく嵌脱部２９側を案内し且つ回動軸部３１側の通過を阻止する案内溝３４とを設け、回動軸部３１側のテーパー部３０の勾配を大きくし、外れ阻止部２７側のテーパー部２８の勾配を小さくしたものである。
請求項２に記載の本発明は、請求項１に記載の発明において、外れ阻止部２７と回動軸部３１とを略同一径の円柱状に構成したものである。
【０００８】
請求項３に記載の本発明は、請求項１又は２に記載の発明において、前枠３  側の固定ブラケット２０の下端部に受け部１８を折り曲げ形成し、この受け部１８上にヒンジ軸１９を固定し、裏機構板８  側の可動ブラケット２３の下端部に当接部２１を折り曲げ形成し、この当接部２１に回動孔２２と案内溝３４とを設けたものである。
請求項４に記載の本発明は、請求項１乃至３の何れかに記載の発明において、案内溝３４の外端側を外広がり状に開口させたものである。
【０００９】
【発明の実施の形態】
以下、本発明の実施の形態を図面に基づいて詳述する。なお、従来と同一物については同一名称、同一符号を使用して、その図示等を省略する。
この弾球遊技機は、図５に示すように、前枠３  の裏側の遊技盤装着枠５  に上下一対のヒンジ７  を介して裏機構板８  が着脱及び開閉自在に枢支され、遊技盤装着枠５  に裏側から嵌め込まれた遊技盤６  を裏機構板８  で押圧し固定するようになっている。
【００１０】
各ヒンジ７  は、図１乃至図４に示すように、遊技盤装着枠５  側の固定ブラケット２０と、裏機構板８  側の可動ブラケット２３とを備えている。固定ブラケット２０は、上下方向の取り付け部２４と、この取り付け部２４の下端から後方へとＬ字状に屈曲する受け部１８と、受け部１８上に固定されたヒンジ軸１９とを有し、その取り付け部２４が遊技盤装着枠５  の凹部２５に上下一対のネジ２６により着脱自在に固定されている。
【００１１】
ヒンジ軸１９は、図３及び図４に示すように、上から順番に上大径軸部２７、上テーパー部２８、小径軸部２９、下テーパー部３０、下大径軸部３１及び取り付け軸部３２を略同一軸心上に備え、その下端の取り付け軸部３２が受け部１８にカシメにより固定されている。上大径軸部２７は外れ阻止部を、下大径軸部３１は回動軸部を夫々構成するものであり、これらは略同一径の円柱状で、後者が前者の略２〜３倍程度の長さになっている。
【００１２】
小径軸部２９は嵌脱部を構成するものであり、上下の大径軸部よりも小径の円柱状で、下大径軸部３１よりも若干短くなっている。小径軸部２９の上下には、その上下両側の大径軸部２７，３１  との間に、この小径軸部２９から各大径軸部２７，３１  側に移るに従って大径となるテーパー部２８，３０  があり、その上テーパー部２８の勾配αは４５°前後とし、下テーパー部３０の勾配βは６０°前後としている。
【００１３】
可動ブラケット２３は、上下方向の取り付け部３３と、この取り付け部３３の下端から前方へとＬ字状に屈曲する当接部２１と、当接部２１に形成された回動孔２２及び案内溝３４とを備え、その取り付け部３３が裏機構板８  の突出部３５の裏側に上下一対のネジ２６ａ  により着脱自在に固定されている。
当接部２１は、固定ブラケット２０の受け部１８上に当接可能であって、この当接部２１の先端側に回動孔２２と案内溝３４とが形成されている。回動孔２２はヒンジ軸１９の下大径軸部３１が適度な遊びで回動自在に嵌合するように円形状に形成され、この回動孔２２から裏機構板８  の外側方向に案内溝３４が形成されている。
【００１４】
案内溝３４は、図２及び図４に示すように、小径軸部２９側を介して下大径軸部３１が回動孔２２に嵌脱すべく小径軸部２９側を案内すると共に、下大径軸部３１側の通過を阻止するためのもので、回動孔２２側の内端側が小径軸部２９よりも若干広い程度の幅で、この内端側から外側へと移るに従って幅が徐々に広がるように外広がり状に開口している。
なお、裏機構板８  及び突出部３５には、その周辺部分を含む適当箇所に補強リブ３６，３７  が形成され、また突出部３５側の補強リブ３７には、固定ブラケット２０側のヒンジ軸１９等と干渉しないように切り欠き部３８が形成されている。
【００１５】
上記構成のヒンジ構造を有する弾球遊技機において、上下一対のヒンジ７  を介して裏機構板８  を前枠３  側の遊技盤装着枠５  に装着する際には、前枠３  をヒンジ２  廻りに前側へと開放した後、その後方から上下一対の各ヒンジ７  を結合して裏機構板８  を遊技盤装着枠５  に装着する。
【００１６】
各ヒンジ７  を結合する場合には、図５乃至図７に示すように、可動ブラケット２３の案内溝３４の開口側を固定ブラケット２０のヒンジ軸１９側に向けた状態で裏機構板８  を前枠３  の後方に位置させ、その状態で各可動ブラケット２３の当接部２１の上下高さを各固定ブラケット２０のヒンジ軸１９の小径軸部２９に合わせて、その小径軸部２９を案内溝３４を経て回動孔２２に嵌合させる。
ヒンジ軸１９の小径軸部２９が回動孔２２に嵌合すれば、次に裏機構板８  側をヒンジ軸１９に沿って下降させて、ヒンジ軸１９の下大径軸部３１を回動孔２２に嵌合させると共に、可動ブラケット２３の当接部２１を固定ブラケット２０の受け部１８上に当接させると、遊技盤装着枠５  に裏機構板８  を開閉自在に装着できる。
【００１７】
特に各可動ブラケット２３の当接部２１の案内溝３４を、各固定ブラケット２０側に固定されたヒンジ軸１９の小径軸部２９に側方から合わせて、その案内溝３４を介してヒンジ軸１９の小径軸部２９を回動孔２２側へと案内するので、上下一対のヒンジ７  の内、何れか一方側のヒンジ７  の可動ブラケット２３の回動孔２２にヒンジ軸１９の小径軸部２９を嵌合させ、その状態で他方のヒンジ７  側を同様に嵌合させることが可能であり、上下の各ヒンジ７  の結合が従来に比較して容易であり、ヒンジ７  を介して裏機構板８  を遊技盤装着枠５  に容易且つ能率的に装着できる。
【００１８】
またヒンジ軸１９の小径軸部２９が当接部２１の回動孔２２に嵌合した後、裏機構板８  側を下降させて、可動ブラケット２３の回動孔２２にヒンジ軸１９の下大径軸部３１を嵌合させるが、その小径軸部２９と下大径軸部３１との間に下テーパー部３０があり、この下テーパー部３０に沿って可動ブラケット２３の当接部２１を案内するので、下大径軸部３１を当接部２１の回動孔２２に容易に嵌合できる。
しかも、ヒンジ軸１９の下大径軸部３１が当接部２１の回動孔２２に嵌合すれば、ヒンジ７  がその下側の受け部１８に当接して受け止められるので、ヒンジ軸１９の下大径軸部３１を当接部２１の回動孔２２に嵌合させた後は、固定ブラケット２０側の受け部１８、ヒンジ軸１９により可動ブラケット２３側を容易且つ確実に支承できる。
【００１９】
可動ブラケット２３側の当接部２１の案内溝３４をヒンジ軸１９の小径軸部２９側に向けた状態において、その当接部２１の高さがヒンジ軸１９の小径軸部２９に対応していれば、外広がり状の案内溝３４を介して小径軸部２９を回動孔２２側へと円滑に案内でき、小径軸部２９を回動孔２２に容易に嵌合させることが可能である。
また可動ブラケット２３側の当接部２１がヒンジ軸１９の小径軸部２９に対して上下方向に若干ずれていた場合にも、小径軸部２９の上下両側にテーパー部２８，３０  があるため、この上下のテーパー部２８，３０  の範囲内であれば、当接部２１の案内溝３４の開口端側が当接することによって、テーパー部２８，３０  により当接部２１を小径軸部２９側へと上下方向に案内できる。このため、可動ブラケット２３の当接部２１の上下高さを固定ブラケット２０側のヒンジ軸１９の小径軸部２９に厳密に合わせる必要がなく、装着時の作業を容易にできる。
更に下テーパー部３０の勾配を大きくしてヒンジ７  の下大径軸部３１が回動孔２２に嵌合する時に円滑に案内できるようにする一方、上下方向の荷重が掛からない上テーパー部２８の勾配を小さくしているので、ヒンジ軸１９の長さを短くできる。
【００２０】
以上、本発明の実施形態について説明したが、本発明はこの実施形態に限定されるものではない。
例えば、固定ブラケット２０の受け部１８側に回動孔２２と案内溝３４とを設け、可動ブラケット２３側に当接部２１と、この当接部２１から下方に突出するヒンジ軸１９とを設けても良い。
この場合、ヒンジ軸１９の構成は、実施形態とは逆にすれば良い。
また実施形態では、回動軸部を下大径軸部３１により、嵌脱部を小径軸部２９により夫々構成しているが、嵌脱部は断面小判状、半円状、偏平矩形状等に構成することも可能である。
【００２１】
【発明の効果】
本発明によれば、前枠３  側に固定された受け部１８と、裏機構板８  側に固定され且つ受け部１８上に当接してヒンジ軸１９の軸心廻りに回動自在な当接部２１とを備えたヒンジ７  を上下方向に一対設け、このヒンジ７  を介して前枠３  側に裏機構板８  を着脱及び開閉自在に枢着した弾球遊技機において、各ヒンジ７  の上下方向のヒンジ軸１９を受け部１８に上向き又は当接部２１に下向きに固定し、各ヒンジ軸１９に大径の回動軸部３１及び大径の外れ阻止部２７と、これらの間に形成された小径の嵌脱部２９と、嵌脱部２９と回動軸部３１及び外れ阻止部２７間に形成され且つ嵌脱部２９側が細くなる案内用のテーパー部３０，２８  とを軸心方向に設け、ヒンジ軸１９と反対側の受け部１８又は当接部２１に、当接部２１が受け部１８上に当接した状態で回動軸部３１が回動自在に嵌合する回動孔２２と、嵌脱部２９側を介して回動軸部３１が回動孔２２に嵌脱すべく嵌脱部２９側を案内し且つ回動軸部３１側の通過を阻止する案内溝３４とを設け、回動軸部３１側のテーパー部３０の勾配を大きくし、外れ阻止部２７側のテーパー部２８の勾配を小さくしているので、簡単な構造で、しかも裏機構板８  を複数個のヒンジ７  を介して前枠３  側に容易に装着できる。
【００２２】
本発明によれば、前枠３  側の固定ブラケット２０の下端部に受け部１８を折り曲げ形成し、この受け部１８上にヒンジ軸１９を固定し、裏機構板８  側の可動ブラケット２３の下端部に当接部２１を折り曲げ形成し、この当接部２１に回動孔２２と案内溝３４とを設けているので、受け部１８、ヒンジ軸１９を含む固定ブラケット２０側、及び回動孔２２、案内溝３４付きの当接部２１を含む可動ブラケット２３側の構造を簡単にでき、しかも裏機構板８  を複数個のヒンジ７  を介して前枠３  側に容易に装着できる。
本発明によれば、案内溝３４の外端側を外広がり状に開口させているので、案内溝３４を経て嵌脱部２９又は小径軸部２９を容易に案内できる。
【図面の簡単な説明】
【図１】本発明の一実施形態を示す弾球遊技機のヒンジ部分の縦断面図である。
【図２】本発明の一実施形態を示す弾球遊技機のヒンジ部分の横断面図である。
【図３】本発明の一実施形態を示すヒンジ軸部の拡大図である。
【図４】本発明の一実施形態を示す弾球遊技機のヒンジ部分の分解斜視図である。
【図５】本発明の一実施形態を示す弾球遊技機の分解縦断面図である。
【図６】本発明の一実施形態を示す弾球遊技機のヒンジ部分の分解横断面図である。
【図７】本発明の一実施形態を示す弾球遊技機のヒンジ部分の分解縦断面図である。
【図８】従来の弾球遊技機を示す斜視図である。
【図９】従来の弾球遊技機を示す背面図である。
【図１０】従来の弾球遊技機を示す分解縦断面図である。
【符合の説明】
３      前枠
７      ヒンジ
８      裏機構板
１８    受け部
１９    ヒンジ軸
２０    固定ブラケット
２１    当接部
２２    回動孔
２３    可動ブラケット
２９    小径軸部（嵌脱部）
３０    テーパー部
３１    下大径軸部（回動軸部）
３４    案内溝
【図１】
0003633757.tif 000002
【図２】
0003633757.tif 000003
【図３】
0003633757.tif 000004
【図４】
0003633757.tif 000005
【図５】
0003633757.tif 000006
【図６】
0003633757.tif 000007
【図７】
0003633757.tif 000008
【図８】
0003633757.tif 000009
【図９】
0003633757.tif 000010
【図１０】
0003633757.tif 000011